(57)【要約】 【課題】  重量のある構造物を吊り上げるために予め準備されている構成を利用することにより、設計変更することなく、既存の構造物も含めて、夜間でも存在を視認可能にする器具を取り付けることができるようにして、注意を喚起して安全を確保することのできる注意喚起具を提供すること。【解決手段】  路上機器１００の雌ネジ１００ａに螺合させる吊上用のアイボルト１０１に代えて取り付ける棒状の注意喚起具１０であって、その一端側にはアイボルト１０１の雄ネジ１０１ａと同一寸法形状に作製されている雄ネジ（係合部）１１が形成されて、この雄ネジ１１から他端側の胴体部（露出部）１２の外面には反射テープ（反射材料）１３が巻き付けられて貼付されている。【選択図】      図２
2006233672.tif 000002
【特許請求の範囲】
【請求項１】
重量のある構造物を吊り上げる際に用いる吊上用具の係合部と同様に該構造物の被係合部に係合させて取り付ける係合部と、該係合部に連設されて外部に露出する状態で構造物に取り付けられる露出部とを備えて、
少なくとも該露出部に発光手段が設けられていることを特徴とする注意喚起具。
【請求項２】
前記発光手段は、露出部外面に設けられた反射材料または蓄光材料の一方あるいは双方よりなることを特徴とする請求項１に記載の注意喚起具。
【請求項３】
前記露出部は、風により回転する回転部材を備えて、該回転部材の外面に発光手段が配設されていることを特徴とする請求項１または２に記載の注意喚起具。
【請求項４】
前記発光手段は、太陽光を光電変換して発電する発電手段と、発電電力を蓄電する蓄電器と、蓄電電力により自発発光する発光体と、を備えていることを特徴とする請求項１から３のいずれかに記載の注意喚起具。
【発明の詳細な説明】
【技術分野】
【０００１】
本発明は、注意喚起具に関し、詳しくは、構造物の付近を通行する第三者などに、その構造物の存在を認識させて衝突などしないように注意を喚起することのできるものに関する。
【背景技術】
【０００２】
従来より、反射材などを利用した標識を設置することにより、夜間でも人の注意を喚起して安全に通行等できるようにすることが知られており（例えば、特許文献１参照）、その標識として、危険箇所などにポール形状の注意喚起具を取り付けることも提案されている（例えば、特許文献２参照）。
【０００３】
ここで、近年には、路上に長期間あるいは永続的に設置される多種の機器（構造物）が出現してきており、例えば、近年の電線の埋設化に伴って、従来には電柱に設置していた変圧器等の送電用機器が路上に設置されている場合がある。この路上機器は、昼間には視認可能であるが夜間になると見難くなってしまうことから、歩行者や自転車・自動車の運転者などが存在に気付かずに衝突しそうになるなど、ヒヤリとする場合がある。
【特許文献１】実用新案登録大３０９１４２３号公報
【特許文献２】特開２００４−２６３４４６号公報
【発明の開示】
【発明が解決しようとする課題】
【０００４】
このことから、路上機器などには反射材を備える標識を配置することにより、その路上機器などの存在を容易に視認可能にして歩行者などに注意を喚起するが考えられる。しかしながら、このような従来の標識にあっては、路上機器などの周囲に設置したり、ネジ穴などを設けて取り付けたり、粘着テープで貼付することなどが考えられるが、それぞれ問題があって、積極的に採用することができない。例えば、路上に標識を設置する場合には、その設置スペースが別途必要になってしまう。ネジなどにより標識を取り付ける場合には、路上機器などにその設置用のネジ穴を特別に設計・準備しておかなければならない。粘着テープで標識を貼付する場合には、標識が外れ易く、その外れた跡が汚い。
【０００５】
ここで、例えば、図１に示すように、路上に設置される機器１００などは、かなりの重量があるものが多いことから、クレーンなどにより吊り上げて所望の設置位置に降ろすのが一般的である。このことから、路上機器１００などには、そのクレーンのワイヤー先端のフックに引っ掛けることのできるアイボルト１０１を螺合させて取り付けることのできる雌ネジ１００ａが予め準備されており、設置後のその雌ネジ１００ａには、目隠し部材が取り付けられたり、そのまま露出する状態になっている。
【０００６】
そこで、本発明は、重量のある構造物を吊り上げるために予め準備されている構成を利用することにより、設計変更することなく、既存の構造物も含めて、夜間でも存在を視認可能にする器具を取り付けることができるようにして、注意を喚起して安全を確保することのできる注意喚起具を提供することを目的とする。
【課題を解決するための手段】
【０００７】
上記課題を解決する注意喚起具の第１の発明は、重量のある構造物を吊り上げる際に用いる吊上用具の係合部と同様に該構造物の被係合部に係合させて取り付ける係合部と、該係合部に連設されて外部に露出する状態で構造物に取り付けられる露出部とを備えて、少なくとも該露出部に発光手段が設けられていることを特徴とするものである。
【０００８】
この発明では、重量構造物の吊上用の被係合部に、その吊上用具に代えて、係合部を係合させるだけで、発光手段を有する露出部を露出する状態に取り付けることができる。したがって、吊上用に設けられている構成を流用して、夜間でも視認可能な光により存在を認識させる注意喚起具を取り付けることができ、設計変更することなく、また、既存の構造物も含めて、安全を確保することができる。
【０００９】
上記課題を解決する注意喚起具の第２の発明は、上記第１の発明の特定事項に加え、前記発光手段は、露出部外面に設けられた反射材料よりなることを特徴とするものである。
【００１０】
この発明では、反射材料や蓄光材料による反射発光・自発発光で夜間でも露出部を視認可能にする。したがって、例えば、反射シールなどを巻き付けるなどした部材を取り付けるだけの構造で安価に作成することができる。
【００１１】
上記課題を解決する注意喚起具の第３の発明は、上記第１または第２の発明の特定事項に加え、前記露出部は、風により回転する回転部材を備えて、該回転部材の外面に発光手段が配設されていることを特徴とするものである。
【００１２】
この発明では、風などにより回転する反射材料や蓄光材料による反射発光・自発発光で夜間でも露出部を視認可能にする。したがって、光が変化して、より気が付き易くすることができ、安全性を向上させることができる。
【００１３】
上記課題を解決する注意喚起具の第４の発明は、上記第１から第３のいずれかの発明の特定事項に加え、前記発光手段は、太陽光を光電変換して発電する発電手段と、発電電力を蓄電する蓄電器と、蓄電電力により自発発光する発光体と、を備えていることを特徴とするものである。
【００１４】
この発明では、太陽光エネルギを光電変換して蓄電した電力により自発発光して露出部を視認可能にする。したがって、蓄電する容量や発光体の消費電力を適切にすることにより長時間に亘って自発発光することができ、信頼性高く自発発光させて光を持たない歩行者でも視認可能にすることができる。
【発明の効果】
【００１５】
このように本発明によれば、重量構造物に既存の構成を利用して発光する部材を取り付けることができ、構造物の周囲に設置するのではなく、また、専用の取付構成を設けることなく、さらに、貼付するのではなく、夜間でも発光により存在を認識させて注意を喚起する注意喚起具を取り付けることができる。したがって、構造物の設計変更を要求することなく、既存の構造物にも注意喚起具を取り付けることができ、路上などの安全を確保することができる。
【発明を実施するための最良の形態】
【００１６】
以下、本発明の最良の実施形態を図面に基づいて説明する。図１〜図３は本発明に係る注意喚起具の第１実施形態を示す図である。
【００１７】
まず、注意喚起具を取り付ける対象を説明する。図１において、路上機器１００は、例えば、埋設されている送電線に接続する変圧器等の各種送電用装置が内装されており、道路脇の歩道の隅などに設置されている。この路上機器１００は、かなりの重量があることから天板部の四隅に雌ネジ（被係合部）１００ａを設けてアイボルト（吊上用具）１０１の雄ネジ（係合部）１０１ａを螺合させて取り付けることができるように設計されており、路上に設置する際には、クレーンのワイヤー先端に取り付けられているフックをそのアイボルト１０１のリング部１０１ｂ内に引っ掛けて吊り上げることにより、所望の位置に降ろして設置する。この路上機器１００は、路上などへの設置後には、外観上の美観からそのアイボルト１０１を雌ネジ１００ａから外して目隠しなどを取り付けておくのが一般的である。
【００１８】
次に、注意喚起具の構成を説明する。図２において、注意喚起具１０は、樹脂材料を棒状に成形されて作製されており、その一端側にはアイボルト１０１の雄ネジ１０１ａと同一寸法形状の雄ネジ（係合部）１１が形成されているとともに、この雄ネジ１１から他端側の胴体部（露出部）１２の外面に、反射テープ（反射材料）１３が巻き付けられて貼付されている。
【００１９】
これにより、この注意喚起具１０は、図３に示すように、路上などに設置された路上機器１００に、アイボルト１０１に代えて、その雌ネジ１００ａに雄ネジ１１を螺合させて取り付けることができ、路上機器１００の天板の上部で露出する胴体部１２外面の反射テープ１３で自動車や自転車からのライトを反射（発光）することができる。
【００２０】
このように本実施形態においては、路上機器１００を設計変更することなく、既に路上に設置されている路上機器１００であっても、既存の雌ネジ１００ａを流用して注意喚起具１０を取り付けることができ、その反射テープ１３によりライトを反射して夜間でも路上機器１００の存在を視認させて注意を促すことができる。この注意喚起具１０は、樹脂成形したものに反射テープ１３を巻き付けるだけで安価に作製することができる。この結果、路上機器１００の周囲に設置するのではなく、また、専用の取付構成を必要とすることなく、さらに、路上機器１００の外面などに貼付するのではなく、路上を通行する際の安全を安価に確保することができる。
【００２１】
本実施形態の他の態様としては、反射テープ１３に代えて、蓄光材料を塗布したテープを胴体部１２に巻き付けてもよく、また、反射テープと蓄光テープを交互に胴体部１２に巻き付けてもよく、さらに、胴体部１２自体を反射材料や蓄光材料を混合させた樹脂材料により成形してもよい。この場合にも本実施形態と同様の作用効果を得ることができ、蓄光材料が自発発光している間には、例えば、ライトを持っていない歩行者でも、その光により路上機器１００の存在を視認させて注意を促すことができる。
【００２２】
次に、図４は本発明に係る注意喚起具の第２実施形態を示す図である。
図４において、注意喚起具２０は、縦断面形状が略コの字形状になるように形成された本体部２１と、アイボルト１０１の雄ネジ１０１ａと同一寸法形状に形成されて本体部２１の下端面に溶接された雄ネジ（係合部）２２と、本体部２１のコの字形状の開口側の両端部間に回転自在に取り付けられた回転棒２３と、を備えている。
【００２３】
この注意喚起具２０の回転棒２３には、上端部から下端部まで延在して法線方向に延長された４枚の旋回板（回転部材）２４が十字の横断面形状になるように取り付けられており、この旋回板２４は、十字の横断面形状のまま回転棒２３の周囲で旋回する。また、この旋回板２４には、それぞれの位置が上下にずれるように反射シール（反射材料）２５が貼付されている。
【００２４】
これにより、この注意喚起具２０は、路上などに設置された路上機器１００に、アイボルト１０１に代えて、その雌ネジ１００ａに雄ネジ２２を螺合させて取り付けることができ、路上機器１００の天板の上部で本体部２１により回転可能に支持されて露出する旋回板２４が風により回転することにより、その旋回板２４の反射シール２５で自動車や自転車からのライトを反射することができる。
【００２５】
このように本実施形態においては、上述実施形態による作用効果に加えて、旋回板２４の回転により反射シール２５が反射する光を変化させることができ、その路上機器１００の存在をより気づき易くして安全性を向上させることができる。
【００２６】
本実施形態の他の態様としては、反射シール２５に代えて、蓄光材料を塗布したシールを旋回板２４に貼付してもよく、また、反射シールだけでなく、蓄光シールを交互に旋回板２４に貼付してもよく、さらに、旋回板２４自体を反射材料や蓄光材料を混合させた樹脂材料により成形してもよい。この場合にも本実施形態と同様の作用効果を得ることができ、蓄光材料が発光している間には、例えば、ライトを持っていない歩行者でも、その光により路上機器１００の存在を視認させて注意を促すことができる。
【００２７】
次に、図５は本発明に係る注意喚起具の第３実施形態を示す図である。
図５において、注意喚起具３０は、透光可能な樹脂材料を円筒形状に成形することにより作製された円筒部３１と、この円筒部３１の下端部に一体成形されてアイボルト１０１の雄ネジ１０１ａと同一寸法形状に形成された雄ネジ（係合部）３２と、円筒部３１内に発光体として内装された複数個のＬＥＤ（発光ダイオード）３３と、電力を蓄電するバッテリ（蓄電器）３４と、太陽光などの光を光電変換することにより発電する太陽光パネル（発電手段）３５と、周囲の明るさを検出するセンサ３６と、このセンサ３６の検出情報に基づいて周囲が暗い場合にバッテリ３４からＬＥＤ３３に電力を供給して発光させる制御ボックス３７と、を備えている。なお、図５中の３８は、太陽光パネル３５をバッテリ３４などに接続する電線である。
【００２８】
これにより、この注意喚起具３０は、太陽光パネル３５で太陽光エネルギを光電変換したバッテリ３４内の蓄電電力によりＬＥＤ３３を点灯することができ、円筒部３１を自発発光させることができる。
【００２９】
このように本実施形態においては、上述実施形態による作用効果に加えて、路上機器１００の天板の上部でＬＥＤ３３を発光させて、円筒部３１を介して外部に光を発することができ、その路上機器１００の存在をライトを持たない歩行者でも視認可能にすることにより、より気づき易くして安全性を向上させることができる。また、この注意喚起具３０は、太陽光エネルギを光電変換したバッテリ３４内の蓄電電力でも、少ない消費電力のＬＥＤ３３を長時間に亘って発光させることができる。
【産業上の利用可能性】
【００３０】
これまで本発明の一実施形態について説明したが、本発明は上述の実施形態に限定されず、その技術的思想の範囲内において種々異なる形態にて実施されてよいことは言うまでもない。
【図面の簡単な説明】
【００３１】
【図１】本発明に係る注意喚起具の第１実施形態を取り付ける対象を説明する図であり、（ａ）はその路上機器の概略全体構成を示す斜視図、（ｂ）はその設置時に使用する吊上用具を示す平面図である。
【図２】その第１実施形態の概略全体構成を示す立面図である。
【図３】その第１実施形態を取り付けた状態を示す路上機器の斜視図である。
【図４】本発明に係る注意喚起具の第２実施形態の概略全体構成を示す図であり、（ａ）はその立面図、（ｂ）はその上面図である。
【図５】本発明に係る注意喚起具の第３実施形態を示す図であり、（ａ）はその概略全体構成を示す斜視図、（ｂ）はその要部構成を示す透視図である。
【符号の説明】
【００３２】
１０、２０、３０……注意喚起具    １１、２２、３２……雄ネジ    １２……胴体部    １３……反射テープ    ２１……本体部    ２３……回転棒    ２４……旋回板    ２５……反射シール    ３１……円筒部    ３３……ＬＥＤ    ３４……バッテリ    ３５……太陽光パネル    ３６……センサ    ３７……制御ボックス    １００……路上機器    １００ａ……雌ネジ    １０１……アイボルト    １０１ａ……雄ネジ    １０１ｂ……リング部
【図１】
2006233672.tif 000003
【図２】
2006233672.tif 000004
【図３】
2006233672.tif 000005
【図４】
2006233672.tif 000006
【図５】
2006233672.tif 000007